(57)【要約】【課題】破断部において横糸が解れにくい織布テープを提供する。【解決手段】織布２は、長尺状の形状を有し、縦糸２１と、縦糸２１と交差して織り込まれる横糸２２とによって形成される。織布２の一方の面には粘着剤または接着剤が設けられる。一対のスリット２３，２４は、それぞれ織布２の両側の端に形成され、横糸２２の延在方向において互いに対向する。【選択図】図１
2015060638.tif 000002
【特許請求の範囲】
【請求項１】
長尺状の形状を有し、縦糸と、前記縦糸と交差して織り込まれる横糸とによって形成される織布と、
前記織布の一方の面に設けられる粘着剤または接着剤と、
それぞれ前記織布の両側の端に形成され、前記横糸の延在方向において互いに対向する一対のスリットと
を備える、織布テープ。
【請求項２】
請求項１に記載の織布テープであって、
前記一対のスリットの少なくともいずれか一方は、その先端側に向かうにしたがって先細となる形状を有する、織布テープ。
【請求項３】
複数の電線と、
前記複数の電線に固定される、請求項１又は２に記載の織布テープと
を備える、ワイヤハーネス。
【発明の詳細な説明】
【技術分野】
【０００１】
本発明は、織布テープおよびワイヤハーネスに関する。
【背景技術】
【０００２】
特許文献１には、電線結束用布粘着テープが記載されている。この電線結束用布粘着テープは、支持基材としての織布テープと、この支持基材に塗布される粘着剤とを有している。織布テープは縦糸と横糸とを織り込むことで形成される。
【０００３】
特許文献１では、横糸の強度を縦糸の強度よりも高くすることで、織布テープを、横糸に沿って破断しやすいように、構成している。これにより、作業員の作業性を向上することができる。
【先行技術文献】
【特許文献】
【０００４】
【特許文献１】特開平５−２９０６５９号公報
【発明の概要】
【発明が解決しようとする課題】
【０００５】
しかしながら、支持基材として織布を採用する構造では、織布テープの破断部において横糸が解れる可能性がある。このような「解れ」は、見栄えが悪くなり、望ましくない。
【０００６】
また、例えば織布テープをワイヤハーネスに結束する場合には、解れた横糸がワイヤハーネスの端子に接触する可能性がある。この場合、ワイヤハーネスと、当該ワイヤハーネスと接続される電装品との間に接触不良が生じる可能性がある。
【０００７】
そこで、本発明は、破断部において横糸が解れにくい織布テープを提供することを目的とする。
【課題を解決するための手段】
【０００８】
本発明にかかる織布テープの第１の態様は、長尺状の形状を有し、縦糸と、前記縦糸と交差して織り込まれる横糸とによって形成される織布と、前記織布の一方の面に設けられる粘着剤または接着剤と、それぞれ前記織布の両側の端に形成され、前記横糸の延在方向において互いに対向する一対のスリットとを備える。
【０００９】
本発明にかかる織布テープの第２の態様は、第１の態様にかかる織布テープであって、前記一対のスリットの少なくともいずれか一方は、その先端側に向かうにしたがって先細となる形状を有する。
【００１０】
本発明にかかるワイヤハーネスの態様は、複数の電線と、前記複数の電線に固定される第１又は第２の態様にかかる織布テープとを備える。
【発明の効果】
【００１１】
本発明にかかる織布テープの第１の態様によれば、スリットが設けられる位置において、横糸に沿って織布を破断したときに、横糸が解れることを抑制できる。
【００１２】
本発明にかかる織布テープの第２の態様によれば、スリットを見つけやすいので、作業性を向上できる。
【００１３】
本発明にかかるワイヤハーネスの態様によれば、横糸が解れにくい。よって、解れた横糸がワイヤハーネスの端部と接触する事態が生じにくい。ひいては、ワイヤハーネスと電装品との間の接触不良を抑制できる。
【図面の簡単な説明】
【００１４】
【図１】織布テープの一例を模式的に示す平面図である。
【図２】織布テープの一例を模式的に示す側面図である。
【図３】織布テープを所望の長さに破断する様子を示す図である。
【図４】破断した織布テープの一例を模式的に示す平面図である。
【図５】織布テープの一例を模式的に示す斜視図である。
【図６】織布テープの他の一例を模式的に示す平面図である。
【発明を実施するための形態】
【００１５】
第１の実施の形態．
＜織布テープの構成＞
図１は、織布テープ１の一例を模式的に示す平面図である。図１においては、織布テープ１の一部を拡大した部分も模式的に示されている。図２は、織布テープ１の一例を模式的に示す側面図である。織布テープ１は、織布２と、織布２の一方の面に設けられる粘着剤３とを有している。なお、粘着剤３は必要に応じて織布２の両面に設けられても構わない。また、粘着剤３の替わりに接着剤が設けられていても良い。
【００１６】
織布２は、平面視において長尺状の形状を有しており、図１の例示では長方形状の形状を有している。この織布２は、図１の拡大図に例示されるように、縦糸２１および横糸２２が交互に交差するように織り込まれることによって、形成されている。例えば、縦糸２１は織布２の長手方向に延在しており、横糸２２は長手方向に垂直な方向に延在している。またこの横糸２２は、織布２の端から端まで延在する。
【００１７】
縦糸２１および横糸２２は、例えば、いわゆる平織で織り込まれている。平織とは、縦糸２１と横糸２２とを交互に浮き沈みさせて織る手法である。図１を参照して具体的に説明すると、縦糸２１は、例えば、ある横糸２２を紙面手前側で跨ぐと、その隣の横糸２２を紙面奥側で跨ぎ、さらにその隣の横糸２２を再び紙面手前側で跨ぐ。以後、同様にして縦糸２１は横糸２２を順次に跨いで延在する。また、互いに隣り合う縦糸２１は同じ横糸２２を互いに反対側から跨いでいる。つまり、互いに隣り合う縦糸２１の一方が一つの横糸２２を紙面手前側で跨ぐ場合には、縦糸２１の他方は当該一つの横糸２２を紙面手前側で跨ぐ。
【００１８】
また織布２において、横糸２２の強度は縦糸２１の強度よりも大きくてもよい。これにより、作業員は、横糸２２に沿って（例えば長手方向に垂直な方向に沿って）織布２を破断しやすい。したがって、織布テープ１を所望の長さに破断しやすく、作業性を向上することができる。
【００１９】
縦糸２１および横糸２２の各々は複数の繊維によって形成されている。例えば複数の繊維が同じ方向に揃えて束ねられることで、縦糸２１が形成される。横糸２２についても同様である。これらの繊維の材質としては、任意の材質を採用することができる。例えば合成繊維（例えばＰＥＴ(poly-ethylene-terephthalate）またはアセテートで形成される繊維）を採用することができる。
【００２０】
本織布テープ１においては、スリット２３，２４が織布２に形成されている。スリット２３，２４は、それぞれ織布２の両側の端（長手方向に略平行な辺）から横糸２２に沿って延在している。これらのスリット２３，２４は織布２をその法線方向に沿って貫通しつつ、織布２の外側にも開口する。スリット２３，２４は、例えば鋭利な刃物を用いて、織布２の両側の端部を切断することで、形成することができる。
【００２１】
図１，２の例示では、スリット２３は複数形成されており、織布２の長手方向において、互いに間隔を空けて配置されている。スリット２４も同様に複数形成されており、長手方向において互いに間隔を空けて配置されている。またスリット２３の各々は、スリット２４のいずれかと対を成している。これら一対のスリット２３，２４は、横糸２２の延在方向において、互いに対向する位置に設けられている。言い換えれば、横糸２２の延在方向に沿う直線上に、一対のスリット２３，２４が設けられる。
【００２２】
このように、スリット２３，２４の対が複数設けられていれば、作業員は、後に詳述するように、複数の位置で織布テープ１を破断することができ、種々の長さを有する織布テープ１を得ることができる。
【００２３】
＜織布テープを所望の長さのテープに破断する＞
作業員はスリット２３，２４を利用して織布テープ１を破断することができる。ここでは一例として、作業員はスリット２３を利用する。図３は、織布テープ１を破断する様子の一例を示す図である。なお、図３においては、破断した部分を破線で示している。
【００２４】
まず作業員は、図１の織布テープ１のスリット２３側の側部（より詳細には、側部のうち、一つスリット２３を挟んで互いに隣り合う部分）を両手で把持する。そして、把持した部分が互いに遠ざかるように力を加えると、図３に示すように、スリット２３の先端から織布テープ１が破断する。スリット２３によって、その先端部に力が集中するので、その先端部から織布２が破断するのである。これにより、織布２を破断しやすい。なお、図３においては、破断した部分を破線で示している。
【００２５】
そして把持した部分がさらに遠ざかるように力を加えると、織布テープ１は横糸２２（ここでは長手方向に垂直な方向）に沿って破断する。この破断部（破断線）は、スリット２３とともに対をなすスリット２４へと至ることになる。換言すれば、一対のスリット２３，２４は、その一方から織布テープ１を破断したときに、破断部が他方に至ることができる位置に設けられている。
【００２６】
これにより、織布テープ１が本体部と分離部とに分離されて、図４に示すように、所望の長さを有する分離部（織布テープ１）を得ることができる。
【００２７】
この織布テープ１の端部（横糸２２に略平行な端部）は、作業員によって破断された破断部２６（図４の破線）と、当該破断部２６の両端に位置する切断部２７（一対のスリット２３，２４に相当する部分）とによって形成されることになる。
【００２８】
そして、スリット２３，２４は、上述のように、例えば刃物によって切断されることで形成される。したがって、切断部２７では、作業員によって破断される破断部２６に比して、横糸２２が解れにくい。
【００２９】
一方で、横糸２２の各々は織布２の端から端まで延在しているので、横糸２２は当該端部においてその中央に比べて両端から解れやすい。
【００３０】
本織布テープ１によれば、上述のように、破断部２６の両側において、横糸２２が解れにくい切断部２７（スリット２３，２４に相当する部分）が位置する。したがって、横糸２２が解れることを効率的に抑制できるのである。
【００３１】
これにより、織布テープ１を破断して所望の長さのテープを得るときの、当該テープの見栄えを向上することができる。
【００３２】
＜織布テープの適用例＞
この織布テープ１は例えばワイヤハーネスに用いることができる。ワイヤハーネスは、電源線および信号線の少なくとも一方を含む複数の電線を有している。これら複数の電線は適宜に束ねられて延在しており、その長手方向の両端において、端子が形成される。このワイヤハーネスは端子を介してそれぞれ電装品に接続される。ワイヤハーネスは、互いに異なる電装品同士を接続するためのものである。このようなワイヤハーネスは種々の分野で用いられており、例えば車両（自動車など）に搭載される。
【００３３】
織布テープ１はこの複数の電線に固定される。例えば織布テープ１は、束ねられた複数の電線が解けないように、当該複数の電線を結束するために用いられる。或いは、織布テープ１は、当該複数の電線を外部部材（例えば車両パネルなど）に固定するために、用いられる。
【００３４】
しかるに、ワイヤハーネスに織布テープ１を適用する場合、織布テープ１の破断部から横糸２２が解れると、解れた横糸２２が例えばワイヤハーネスの端子に接触する可能性がある。例えば横糸２２が解れることで、この横糸２２が織布テープ１から分離し、当該端子に接触し得る。このような横糸２２と端子との接触は、ワイヤハーネスと電装品との間の接触不良を招き得る。
【００３５】
本実施の形態では、織布テープ１を所望の長さに破断しても、横糸２２がその端部から解れにくいので、このような事態の発生を回避する、あるいは発生頻度を低減することができるのである。
【００３６】
＜スリット＞
図５は、筒状に巻回された織布テープ１の一例を模式的に示す斜視図である。織布テープ１は、被巻回部材４を更に備えている。被巻回部材４は例えば円筒状の形状を有している。この被巻回部材４には、円筒の中心軸を巻回軸Ｐとして、織布２が巻回されている。織布２は、粘着剤３が設けられた面が内周側に向くように、被巻回部材４に巻回される。織布２は、巻回軸Ｐを中心とした径方向に順次に積層されながら巻回されており、これによって、巻回軸Ｐに垂直な両側面２５が形成される。
【００３７】
そして、この両側面２５に、それぞれスリット２３，２４が設けられる。図５の例示では、スリット２３は複数設けられており、側面２５において、巻回軸Ｐを中心として径方向に延在している。これにより、織布２の側部には、その長手方向（即ち、巻回軸Ｐを中心とした周方向）において、互いに間隔を空けてスリット２３が形成されることになる（図１も参照）。図５の例示では、複数のスリット２３は周方向で互いに等間隔に（即ち、等角度で）配置されている。
【００３８】
スリット２４は、スリット２３と同様に、複数設けられ、これらは径方向に延在する。また各スリット２４は、巻回軸Ｐを中心とした周方向において、各スリット２３と同じ位置に形成される。これにより、横糸２２の延在方向（ここでは巻回軸Ｐに沿う方向）において、互いに対向する位置に、それぞれスリット２３，２４が形成されることとなる。
【００３９】
このようなスリット２３，２４は任意の加工により形成すればよいものの、例えばトムソン加工を用いて形成することができる。より詳細には、所定のベース（例えばベニヤ板または樹脂板）の一方の面に、放射状に延在する複数の溝を形成する。そして、複数の刃（トムソン刃）をそれぞれ当該溝に埋め込む。このとき、トムソン刃のエッジ部がベースとは反対側に向くように、トムソン刃が設けられる。トムソン刃はベースの一方の面から突出する。
【００４０】
そして、織布２が被巻回部材４に巻回された状態の織布テープ１を、その一方の側面２５がトムソン刃のエッジ部に当たるように、トムソン刃にプレスする。このとき、放射状に配置されるトムソン刃の中心が、被巻回部材４中心と一致するように、プレスが行なわれる。これにより、織布２の一方の側面２５にスリット２３，２４の一方が形成される。
【００４１】
次に、織布テープ１を反転させて、同様にして、他方の側面２５をトムソン刃にプレスする。このとき、スリット２３，２４の一方と対向する位置にトムソン刃が当たるように、プレスが行なわれる。これにより、織布２の他方の側面２５にスリット２３，２４の他方が形成される。
【００４２】
なお図５の例示では、被巻回部材４にもスリットが形成されているものの、被巻回部材４にはスリットが形成されていなくても構わない。
【００４３】
また第１の実施の形態では、刃物を用いてスリット２３，２４を形成しているものの、これに限らない。例えばスリット２３，２４が形成されるように糸を織って、織布２を形成しても構わない。
【００４４】
第２の実施の形態．
図６は、織布テープ１の他の一例を模式的に示す平面図である。第２の実施の形態にかかる織布テープ１は、スリット２３，２４の形状という点で、第１の実施の形態にかかる織布テープ１と相違する。スリット２３は、自身と対を成すスリット２４へと向かうにしたがって（先端側に向かうにしたがって）先細となる形状を有しており、スリット２４は、自身と対をなすスリット２３へと向かうにしたがって先細となる形状を有している。図６の例示では、スリット２３，２４はＶ字形状を有している。
【００４５】
このような織布テープ１によれば、スリット２３，２４を見つけやすい。したがって、作業性を向上することができる。
【００４６】
なお、スリット２３，２４のいずれもが先細の形状を有している必要はなく、何れか一方が先細の形状を有していれば良い。なぜなら、スリット２３，２４の他方は、スリット２３，２４の一方と対向する位置に形成されているので、一方の位置が分かれば、他方の位置も分かるからである。
【００４７】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００４８】
１  織布テープ
２  織布
３  粘着剤
２１  縦糸
２２  横糸
２３，２４  スリット
【図１】
2015060638.tif 000003
【図２】
2015060638.tif 000004
【図３】
2015060638.tif 000005
【図４】
2015060638.tif 000006
【図５】
2015060638.tif 000007
【図６】
2015060638.tif 000008